【事件の表示】
　特許第３７８１７３１号に関する訂正審判事件について、次のとおり審決する。
【結　論】
　特許第３７８１７３１号に係る明細書を本件審判請求書に添付された訂正明細書のとおり訂正することを認める。
【理　由】
第１．手続の経緯
　本件審判の請求に係る特許第３７８１７３１号の経緯は以下のとおりである。
　平成８年３月２２日　　　特願平８−６６９５４号出願（原出願）
　平成１５年３月１４日　　本件特許出願（特願２００３−６９５１１号）
　平成１８年３月１７日　　設定登録
　平成２５年４月３日　　　訂正審判請求（訂正２０１３−３９００４９）
　平成２５年５月１４日　　審決（訂正を認める）
　平成２５年７月２３日　　本件訂正審判請求
　
第２．請求の趣旨 
　本件訂正審判の請求の趣旨は、特許第３７８１７３１号の明細書を審判請求書に添付の訂正明細書のとおり訂正することを認める、との審決を求めるものである。
　
第３．本件訂正の内容
　本件訂正の内容は、次のとおりである。
 　 
１．訂正事項ａ 
　特許明細書の特許請求の範囲の請求項１に「前記供給元コンピュータに用意され、前記携帯電話機からの入力に従って順次切り替えて送出される複数の携帯電話機用メニュー表示画面データは、メニュー表示を行うためのツリー状の構造であり、」とあるのを、「前記供給元コンピュータに用意され、前記携帯電話機からの入力に従って順次切り替えて送出される複数の携帯電話機用メニュー表示画面データは、
前記新たな機能を有するプログラムのプログラム項目を含むメニュー表示画面が表示されて前記プログラム項目を選択できるようになるまでの
　
２．訂正事項ｂ
　特許明細書の発明の詳細な説明の段落【０００９】に「前記供給元コンピュータに用意され、前記携帯電話機からの入力に従って順次切り替えて送出される複数の携帯電話機用メニュー表示画面データは、メニュー表示を行うためのツリー状の構造であり、」とあるのを、「前記供給元コンピュータに用意され、前記携帯電話機からの入力に従って順次切り替えて送出される複数の携帯電話機用メニュー表示画面データは、
前記新たな機能を有するプログラムのプログラム項目を含むメニュー表示画面が表示されて前記プログラム項目を選択できるようになるまでの
　
３．訂正事項ｃ
　特許明細書の発明の詳細な説明の段落【００３７】に「供給元コンピュータに用意され、前記携帯電話機からの入力に従って順次切り替えて送出される複数の携帯電話機用メニュー表示画面データは、メニュー表示を行うためのツリー状の構造であり、」とあるのを、「供給元コンピュータに用意され、前記携帯電話機からの入力に従って順次切り替えて送出される複数の携帯電話機用メニュー表示画面データは、
前記新たな機能を有するプログラムのプログラム項目を含むメニュー表示画面が表示されて前記プログラム項目を選択できるようになるまでの
　
第２．当審の判断 
１．訂正の目的の適否、新規事項の有無、及び拡張・変更の存否について 
（１）訂正事項ａについて 
　訂正事項ａは、請求項１に係る発明について、訂正前の「メニュー表示を行うためのツリー状の構造」を「前記新たな機能を有するプログラムのプログラム項目を含むメニュー表示画面が表示されて前記プログラム項目を選択できるようになるまでのメニュー表示を行うためのツリー状の構造」と限定するものであるから、特許請求の範囲の減縮を目的とするものである。
　特許明細書の段落【００１４】には、「本装置の特徴として、メモリ部１７には、予め格納されているプログラムの他に、新たな機能を実現するために、プログラム供給元のコンピュータ（供給元コンピュータ）から受信したプログラム（機能プログラム）を格納するエリアが設けられており、また、ＣＰＵ１６は、新たにメモリ部７に記憶された機能プログラムに基づいて処理を行うことができるようになっている。」と記載されており、供給元コンピュータに用意されているプログラムは、新たな機能を有するものであるといえる。
　特許明細書の段落【００３１】〜【００３４】には、「【００３１】
次に、供給元コンピュータ３におけるプログラムの構成について図４を用いて説明する。図４は、供給元コンピュータ３におけるプログラムの構成を示す模式説明図である。図４に示すように、供給元コンピュータ３に用意されているプログラムは、ツリー状となっており、携帯電話機１からの入力に従って、順次表示画面のデータを切り替えて携帯電話機１に送出し、利用者のプログラム選択を促すようになっている。
【００３２】
具体的には、「メニュー表示」画面（のプログラム）の下に、「ゲーム」、「情報」、「時間」、「天気」等の各項目の表示画面（のプログラム）があり、「メニュー表示」においては、携帯電話機１では上記各項目が選択候補として表示される。そして、携帯電話機１からデータが入力されると、供給元コンピュータ３は、入力データに対応した表示画面のデータを携帯電話機１に送出するようになっている。
【００３３】
例えば、「メニュー表示」プログラムの起動中に携帯電話機１から「１」が入力されると、供給元コンピュータ３の制御部３２は、「ゲーム」の表示画面のデータを選択して携帯電話機１に送出する。
【００３４】
同様に、「ゲーム」の表示画面においては、携帯電話機１で、次の選択候補である「ゲームＡ」、「ゲームＢ」等が表示され、供給元コンピュータ３の制御部３２は、携帯電話機１から入力されたデータに対応したプログラムを記憶部３３から読み出して、携帯電話機１に送出するものである。」との記載されており、供給元コンピュータに用意されているプログラムは、ツリー状となっており、携帯電話機に送出して利用者のプログラム選択を促すようになっている。そして、携帯電話機の「ゲーム」の表示画面においては、「ゲームＡ」、「ゲームＢ」等が選択候補として表示されるものであり、「ゲームＡ」、「ゲームＢ」等は新たな機能を有するプログラムのプログラム項目であり、このプログラム項目を選択できるものであるといえる。よって、「メニュー表示を行うためのツリー状の構造」は、「前記新たな機能を有するプログラムのプログラム項目を含むメニュー表示画面が表示されて前記プログラム項目を選択できる」ためのものであるといえる。
　したがって、訂正事項ａは、願書に添付した明細書に記載した事項の範囲内においてしたものである。また、この訂正は、実質上特許請求の範囲を拡張し、又は変更するものでもない。 
　
（２）訂正事項ｂについて 
　訂正事項ｂは、請求項１を訂正する訂正事項ａと整合を図るため【課題を解決するための手段】を訂正しようとするものであり、明瞭でない記載の釈明を目的とするものである。
　訂正事項ｂは、訂正事項ａと同じく、願書に添付した明細書に記載した事項の範囲内においてしたものである。また、この訂正は、実質上特許請求の範囲を拡張し、又は変更するものでもない。
　
（３）訂正事項ｃについて
　訂正事項ｃは、請求項１を訂正する訂正事項ａと整合を図るため【発明の効果】を訂正しようとするものであり、明瞭でない記載の釈明を目的とするものである。
　訂正事項ｃは、訂正事項ａと同じく、願書に添付した明細書に記載した事項の範囲内においてしたものである。また、この訂正は、実質上特許請求の範囲を拡張し、又は変更するものでもない。
　
２．独立特許要件について 
　上記検討のように請求項１に係る訂正事項ａは、特許請求の範囲の減縮を目的とするものである。そして、特許請求の範囲の請求項２、３に係る発明は、請求項１を引用するものであるから、訂正後の特許請求の範囲の請求項１ないし３に係る発明が、特許出願の際独立して特許を受けることができるものか否かについて検討する。 
　訂正後の特許請求の範囲の請求項１ないし３に係る発明に対して、特許出願の際に独立して特許を受けることができないとする理由を発見しない。
　したがって、訂正後の特許請求の範囲の請求項１ないし３に係る発明は、特許法第１２６条第７項の規定に適合する。 
　 
 第３．むすび 
　したがって、本件審判の請求は、特許法第１２６条第１項ただし書き第１号又は第３号に掲げる事項を目的とし、かつ、同条第５項ないし第７項の規定に適合する。 
　よって、結論のとおり審決する。